(57)【要約】【課題】  大電流用のリアクトルの損失低減に好適な磁心およびリアクトルの構成を提供する。【解決手段】  平行に対置された一組の圧粉磁心部と、前記圧粉磁心部を介して対置された、軟磁性合金薄帯で構成された一組の薄帯磁心部とを備えた環状の複合磁心であって、前記薄帯磁心部は、コーナー部と、該コーナー部の両端に前記コーナー部と一体の直線部とを備え、前記圧粉磁心部とそれに向かい合う前記薄帯磁心部の直線部との間にギャップが設けられていることを特徴とする。【選択図】  図１
2013197570.tif 000002
【特許請求の範囲】
【請求項１】
平行に対置された一組の圧粉磁心部と、
前記圧粉磁心部を介して対置された、軟磁性合金薄帯で構成された一組の薄帯磁心部とを備えた環状の複合磁心であって、
前記薄帯磁心部は、コーナー部と、該コーナー部の両端に前記コーナー部と一体の直線部とを備え、
前記圧粉磁心部とそれに向かい合う前記薄帯磁心部の直線部との間にギャップが設けられていることを特徴とする複合磁心。
【請求項２】
前記圧粉磁心部は、ギャップを介して配置された複数の圧粉磁心ブロックを有することを特徴とする請求項１に記載の複合磁心。
【請求項３】
請求項１または２に記載の複合磁心と、前記圧粉磁心部と該圧粉磁心部の両端側の前記薄帯磁心部の直線部とで構成された磁脚部を周回するコイルとを備え、
前記圧粉磁心部と該圧粉磁心部の両端側の前記薄帯磁心部の直線部との間のギャップが前記コイルの内側に配置されていることを特徴とするリアクトル。
【請求項４】
前記コイルの巻回軸方向の長さが、前記圧粉磁心部の長さ、前記圧粉磁心部の両側の二つのギャップの長さおよび前記圧粉磁心部の両側の前記薄帯磁心部の直線部のうちの一方の直線部の長さの合計よりも大きいことを特徴とする請求項３に記載のリアクトル。
【請求項５】
前記圧粉磁心部と該圧粉磁心部の両端側の前記薄帯磁心部の直線部との間のギャップの位置が、前記コイルの端部から３ｍｍ以上内側であることを特徴とする請求項３または４に記載のリアクトル。
【請求項６】
請求項３〜５のいずれか一項に記載のリアクトルを用いたことを特徴とする電源装置。
【発明の詳細な説明】
【技術分野】
【０００１】
本発明は、昇圧装置等の電源装置に用いられるリアクトルとその複合磁心に関するものである。かかる電源装置は、例えば、ハイブリッド車や電気自動車等の大出力の電気モータを駆動するために用いられる。
【背景技術】
【０００２】
近年、急速に普及しはじめたハイブリッド車や電気自動車では、大出力の電気モータを備えており、これを駆動する電源回路には高電圧大電流に耐えるリアクトルが用いられている。リアクトルにおいては、高い飽和磁束密度Ｂｓを有する磁心材料を用いるとともに、磁心材料間にギャップを設けることで実効透磁率を下げて、大電流でも磁気飽和しにくい構成が用いられている。例えば、ハイブリッド車等の用途では、実効透磁率μｒｅはおおよそ１０から５０程度が実用的な範囲である。
【０００３】
電源装置用リアクトルの磁心材料として、一般に２０ｋＨｚ以下の領域では、主に珪素鋼板、非晶質軟磁性薄帯、微結晶質軟磁性薄帯が、２０ｋＨｚを超える領域では、Ｍｎ−Ｚｎ系やＮｉ−Ｚｎ系などのフェライトが広く用いられている。前者は、飽和磁束密度Ｂｓと透磁率μが高いという長所を持ち、後者のフェライトは、高周波磁心損失が小さく、形状自由度が高く、量産性に優れるという長所を持つ。また、５ｋＨｚから１００ｋＨｚまでの領域においては、圧粉磁心も用いられている。圧粉磁心は、磁性粉末の表面を絶縁処理したのち成形して得られたもので、絶縁処理により電気抵抗が高められ、渦電流損失が抑制されている。
【０００４】
上述のように、大電流用のリアクトルには、高い飽和磁束密度Ｂｓを有する磁心材料を用いるとともに、磁心材料間にギャップを設ける。しかし、この場合、磁束がギャップの外側に漏れ出るフリンジング磁束が生じる。ここで、高い飽和磁束密度Ｂｓを有する磁心材料として上述の非晶質軟磁性薄帯等を用いると、ギャップ近傍の磁心側面にはフリンジング磁束による渦電流が生じ、磁心損失が増大してしまう。これに対して特許文献１では、図７に示すように非晶質軟磁性薄帯等の高透磁率磁心部７１、７２の間に、電気抵抗の大きい圧粉磁心部７３〜７８を配置し、ギャップ７９〜８２をかかる圧粉磁心部間に設けることで、フリンジング磁束によって生じる損失の低減を図っている。
【先行技術文献】
【特許文献】
【０００５】
【特許文献１】特開２００７−１２６４７号公報
【発明の概要】
【発明が解決しようとする課題】
【０００６】
特許文献１に記載の構成によれば、ギャップを圧粉磁心部間に配置することで、非晶質軟磁性薄帯の磁心部間に配置する場合に比べて、損失の低減が可能である。しかしながら、ハイブリッド車のような用途のリアクトルには、特に低損失化の要求が強く、よりいっそうの損失低減が必要とされていた。
【０００７】
そこで、上記課題に鑑み、本発明は、大電流用のリアクトルの損失低減に好適な磁心およびリアクトルの構成を提供することを目的とした。
【課題を解決するための手段】
【０００８】
本発明の複合磁心は、平行に対置された一組の圧粉磁心部と、前記圧粉磁心部を介して対置された、軟磁性合金薄帯で構成された一組の薄帯磁心部とを備えた環状の複合磁心であって、前記薄帯磁心部は、コーナー部と、該コーナー部の両端に前記コーナー部と一体の直線部とを備え、前記圧粉磁心部とそれに向かい合う前記薄帯磁心部の直線部との間にギャップが設けられていることを特徴とする。かかる構成によれば薄帯磁心部と圧粉磁心部との界面におけるフリンジング磁束による損失を低減することができる。また、薄帯磁心部に直線部が設けられているため、かかる前記薄帯磁心部の直線部と圧粉磁心部とに渡ってコイルを配置することができる。そのため、磁束の漏洩抑制に好適なリアクトルを構成することができる。
【０００９】
また、前記複合磁心において、前記圧粉磁心部は、ギャップを介して配置された複数の圧粉磁心ブロックを有することが好ましい。フリンジング磁束による損失を抑えられる圧粉磁心部においてギャップ数を増やすことによって、損失を抑えつつ、ギャップ量を確保することができる。
【００１０】
本発明のリアクトルは、上記いずれかの複合コアと、前記圧粉磁心部と該圧粉磁心部の両端側の前記薄帯磁心部の直線部とで構成された磁脚部を周回するコイルとを備え、前記圧粉磁心部と該圧粉磁心部の両端側の前記薄帯磁心部の直線部との間のギャップが前記コイルの内側に配置されていることを特徴とする。かかる構成によれば、薄帯磁心部と圧粉磁心部との界面がコイルに覆われているため、磁束の漏洩を低減することができる。
【００１１】
また、前記リアクトルにおいて、前記コイルの巻回軸方向の長さが、前記圧粉磁心部の長さ、前記圧粉磁心部の両側の二つのギャップの長さおよび前記圧粉磁心部の両側の前記薄帯磁心部の直線部のうちの一方の直線部の長さの合計よりも大きいことが好ましい。かかる構成によればコイルの位置ずれが生じても、ギャップがコイルの外側に位置することを防ぐことができる。
【００１２】
また、前記リアクトルにおいて、前記圧粉磁心部と該圧粉磁心部の両端側の前記薄帯磁心部の直線部との間のギャップの位置が、前記コイルの端部から３ｍｍ以上内側であることが好ましい。かかる構成によれば、磁束の漏洩をより確実に抑制することができる。
【００１３】
本発明の電源装置は、上記いずれかのリアクトルを用いたことを特徴とする。上記リアクトルは、損失低減に寄与するため、かかるリアクトルを用いることで電源装置の効率向上に寄与する。
【発明の効果】
【００１４】
本発明によれば、大電流用のリアクトルの損失低減に好適な磁心およびリアクトルの構成、さらにはそれを用いた電源装置を提供することができる。
【図面の簡単な説明】
【００１５】
【図１】本発明に係る複合磁心の実施形態を示す図である。
【図２】本発明に係る複合磁心の他の実施形態を示す図である。
【図３】本発明に係る複合磁心の他の実施形態を示す図である。
【図４】本発明に係る複合磁心の他の実施形態を示す図である。
【図５】本発明に係るリアクトルの実施形態を示す図である。
【図６】本発明に係るリアクトルを用いた電源装置であるブースト型ＤＣ−ＤＣコンバータの回路図である。
【図７】従来のリアクトルを示す図である。
【発明を実施するための形態】
【００１６】
以下、本発明に係る複合磁心およびリアクトルの実施形態を、図を用いて具体的に説明するが、本発明はこれに限定されるものではない。また、各実施形態において説明する構成は、他の実施形態の趣旨を損なわない限りにおいて他の実施形態においても適用することが可能であり、その場合、重複する説明は適宜省略する。
【００１７】
（複合磁心の第１の実施形態）
図１（ａ）は本発明の複合磁心の実施形態を示す斜視図、（ｂ）はその平面図である。図１に示す複合磁心１１は、平行に対置された一組の圧粉磁心部１、２と、圧粉磁心部１、２を介して対置された、一組の薄帯磁心部３、４とを備えた環状の複合磁心である。複合磁心１１は、略矩形をなしている。略矩形とは、四隅のアール部分を除き全体として矩形と認められるという趣旨であり、矩形には正方形も含む。圧粉磁心部１、２は直方体であり、磁性粉末と絶縁材、結合材等を混合、成形して構成されるＩ字状の磁心である。薄帯磁心部３、４は、軟磁性合金薄帯で構成したものである。具体的には、軟磁性合金薄帯の巻回体を分割して得られる。その積層方向は、環状の複合磁心の径方向である。薄帯磁心部３、４は、それぞれコーナー部３ａ、４ａと、該コーナー部３ａ、４ａの両端にコーナー部３ａ、４ａと一体の直線部３ｂ、４ｂとを備える、Ｕ字状の磁心である。かかるＵ字状の磁心は、例えば軟磁性合金薄帯を略矩形に巻回し、得られた巻回体をその直線部分で分割することによって得られる、いわゆるカットコアである。
【００１８】
一対の直線部３ｂは、コーナー部３ａから互いに平行に突出し、同じ長さを有し、その端面は同一平面上に位置している。圧粉磁心部１、２とそれに向かい合う直線部３ｂ、４ｂとの間には、ギャップＧｃｄが設けられている。なお、ここでいう、向い合うとは、間に他の部材を介する場合も含む趣旨である。上述のような軟磁性合金薄帯を用いて構成された薄帯磁心部に比べて、圧粉磁心部の透磁率が低い。そのため、図７に示すようにギャップを介さずに、これらを接触させた場合でも、薄帯磁心部の透磁率と圧粉磁心部の透磁率の差が大きい場合には、磁束が磁心から漏れてしまう。ギャップを形成していない場合、漏れた磁束は、必然的に、薄帯磁心部を構成する軟磁性金属薄帯の平面に垂直な成分を持って軟磁性金属薄帯を通ることになり、渦電流を発生させ、損失が生じる。さらに、薄帯磁心部が直線部を備えていないため、圧粉磁心部と薄帯磁心部との間のギャップを覆うようにコイルを配置することができないため、圧粉磁心部と薄帯磁心部の界面から漏洩した磁束がコイル外に漏れることを抑制することが困難である。これに対して、図１に示す実施形態のように、圧粉磁心部１、２とそれに向かい合う薄帯磁心部の直線部３ｂ、４ｂとの間にギャップＧｃｄを設けることによって、フリンジング磁束の、軟磁性金属薄帯の平面に垂直な成分の割合を低下させることができる。さらに、圧粉磁心部１、２と該圧粉磁心部の両端側の薄帯磁心部の直線部３ｂ、４ｂとで構成された磁脚部を周回するコイルを配置する場合、ギャップＧｃｄをコイルで覆うことも可能となる。
【００１９】
ギャップＧｃｄは、圧粉磁心部１、２の両側で異なるものとすることもできるが、図に示す実施形態では、一ヶ所のギャップでのフリンジング磁束が大きくなりすぎないようにするため、圧粉磁心部１、２の両側でギャップＧｃｄは同じになるようにしてある。ギャップＧｃｄは、エアギャップでもよいし、樹脂プレート、接着剤、セラミックスなどの非磁性体を配置してもよい。ギャップ寸法精度や強度の観点からはセラミックスを用いることがより好ましい。また、図１に示す実施形態では、組み立てのし易さ等から、直線部３ｂ、４ｂの断面の形状・寸法と圧粉磁心部１、２の断面の形状・寸法とは同じにしてあるが、これらを異なるものとしてもよい。
【００２０】
図１に示す実施形態は、平行に対置された一組の圧粉磁心部１、２と、圧粉磁心部１、２を介して対置された、一組の薄帯磁心部３、４とを備えた環状の複合磁心の例であるが、平行に対置される圧粉磁心部の数と、薄帯磁心部の数を増やして、構成してもよい。例えば、図１に示す複合磁心を二つ並置するとともに、これらの周囲にさらに別の環状複合磁心を配置して三相の複合磁心を構成することもできる。また、図１に示す実施形態では、薄帯磁心部はＵ字状のカットコアであるが、直線部さえ備えれば、薄帯磁心部の構成はこれに限定するものではない。例えば、コーナー部の内側の形状が曲面を備えていてもよいし、コーナー部の角のアールの大きさなども種々のものを適用することができる。
【００２１】
（複合磁心の第２、第３の実施形態）
圧粉磁心部の構成が図１に示す実施形態と異なる他の実施形態（第２の実施形態）を図２に示す。圧粉磁心部以外の部分は図１に示す実施形態と同じであるので説明を省略する。図２に示す複合磁心２１では、圧粉磁心部１、２が、それぞれギャップＧｄｄを介して配置された複数の圧粉磁心ブロック１ａ／１ｂ、２ａ／２ｂを有する。必要な総ギャップ量を確保する場合、圧粉磁心部１、２にギャップを設けることで、圧粉磁心部１、２と、薄帯磁心部３、４の直線部との間のギャップを小さくすることができるため、かかる部分でのフリンジング磁束による損失を低減することができる。また、圧粉磁心部では、磁性粉末表面が絶縁処理されているため、電気抵抗が大きく、渦電流損失が小さい。したがって、ギャップを圧粉磁心部に設けることで磁心損失の増加を抑えることができるため、かかる構成は、実効透磁率μｅを低くするためにギャップを設ける、２０Ａ以上の電源回路に用いる大電流リアクトル用として好適である。図２に示す実施形態では、圧粉磁心ブロック１ａおよび１ｂ（２ａおよび２ｂ）はそれぞれ同じ形状・寸法にしてあるが、磁路方向の長さを異なるものとすることも可能である。また、図２に示す実施形態では、各圧粉磁心部をそれぞれ２個の圧粉磁心ブロックで構成しているが、その数はこれに限定するものではない。例えば、図３に示す複合磁心３１（第３の実施形態）のように、圧粉磁心部１、２をそれぞれ３個の圧粉磁心ブロック１ａ／１ｂ／１ｃ、２ａ／２ｂ／２ｃで構成してもよいし、それ以上の数の圧粉磁心ブロックで圧粉磁心部を構成してもよい。必要な総ギャップ量を確保する場合、圧粉磁心部のギャップ数を増やすことによって、個々のギャップにおける漏洩磁束を少なくして損失低減を図ることができる。また、各圧粉磁心部に形成された複数のギャップＧｄｄの大きさを互いに異なるものにすることも可能であるが、図３に示す実施形態では一ヶ所あたりの漏洩磁束が少なくなるように、複数のギャップＧｄｄの大きさを同じにしてある。ギャップを形成することの実効性の観点からは、ギャップも含めた磁心全体の磁路長に対する総ギャップ量の比率は、１〜８％にするとよい。また、各ギャップの大きさは、２．５ｍｍ以下にするとよい。
【００２２】
（リアクトルの第１の実施形態）
図５は本発明のリアクトルの実施形態を示す、複合磁心の厚さ方向の中間の位置における断面図である。図５に示すリアクトル５１は、複合磁心３１と、圧粉磁心部１、２と圧粉磁心部１、２の両端側の薄帯磁心部の直線部３ｂ、４ｂとで構成された直線状の磁脚部を周回するコイル５、６とを備える。図５に示すリアクトル５１では、複合磁心として図３に示す実施形態のものを用いているが、他の実施形態のものを用いてもよい。圧粉磁心部１、２と該圧粉磁心部１、２の両端側の薄帯磁心部の直線部３ｂ、４ｂとの間のギャップＧｃｄがコイル５、６の内側になるように配置されている。コイル５、６は、その巻回軸方向の長さが、圧粉磁心部１，２とその両端のギャップＧｃｄとの和よりも長いものを用いる。薄帯磁心部３、４が直線部３ｂ、４ｂを備えているため、かかるコイルを用いてギャップＧｃｄをコイルで覆うことが可能になっている。なお、コイル５、６の長さはボビンを用いる場合であっても、巻線部分での長さを指すこととする。圧粉磁心部１、２と該圧粉磁心部１、２の両端側の薄帯磁心部の直線部３ｂ、４ｂとの間のギャップＧｃｄがコイル５、６の内側になるように配置されていることで、コイル外側への磁束の漏洩を低減することができる。
【００２３】
コイル５、６の巻回軸方向の長さを、圧粉磁心部３、４の長さ、圧粉磁心部３、４の両側の二つのギャップＧｃｄの長さおよび圧粉磁心部３、４の両側の薄帯磁心部の直線部のうちの一方の直線部３ｂ（または４ｂ）の長さの合計よりも大きくしておくことで、コイルの位置ずれが生じても、ギャップＧｃｄがコイルの外側に位置することを防ぐことができる。また、圧粉磁心部と該圧粉磁心部の両端側の前記薄帯磁心部の直線部との間のギャップＧｃｄの位置がコイルの内側にあることで磁束漏洩の低減効果は得られるが、かかる効果をより確実にするには、コイルの端部から３ｍｍ以上内側であることがより好ましい。ギャップＧｃｄの位置とは、図５に示すようにコイル５、６の端部からギャップの端部、すなわち薄帯磁心部３、４の直線部３ｂ、４ｂの末端までの距離ｄで表す。各磁脚において、両側のギャップＧｃｄとコイルの端部との距離ｄが均等になるように、スペーサを用いるなどして、コイルを配置することがより好ましい。
【００２４】
コイルに使用する導体は、断面形状が長方形の平角線、円形の丸線など種々の形態のものを用いることができる。丸線は、柔軟性に優れ、巻回が容易である。一方、平角線を用いたエッジワイズコイルでは、丸線に比べて線間に不要な空隙が生じないため、占積率が高いコイルが得られ、リアクトルの小型化に寄与する。また、同一断面積において、丸線を使用する場合に線径を大きくしたのと同様の効果が得られ、発熱量を低く抑えることができる。例えば、厚さは１〜２ｍｍ、幅は４〜８ｍｍ程度の平角線を用いればよい。
【００２５】
複合コアにおける薄帯磁心部と圧粉磁心部の比率は要求される直流重畳特性や損失値に応じて決定される。より平坦な直流重畳特性が要求される場合は薄帯磁心部の比率を上げ、逓減する直流重畳特性の場合は圧粉磁心部の比率を上げて対応する。また、軟磁性合金薄帯を用いて構成した薄帯磁心部の比率を上げると高周波損失が低減される。一方、薄帯磁心部の比率が大きくなるとコストが増加する。圧粉磁心部の磁路長と薄帯磁心部の磁路長全体に対する薄帯磁心部磁路長の比率は、例えば５０〜７０％程度にするとよい。より好ましくは５５〜６０％である。軟磁性合金薄帯を用いた薄帯磁心部の直線部を短くすることで、圧粉磁心部の比率を高められる。直線部が短いカットコアを得る場合でも、コスト上昇を抑えるためには、一回の切断で直線部の短いカットコアを得ることが好ましい。各直線部の長さはコイルの配置を考慮すると５ｍｍ以上とすることが好ましい。一方、上記コストの観点からは各直線部は好ましくは２０ｍｍ以下であり、より好ましくは１５ｍｍ以下である。例えば、薄帯磁心部の外形寸法として、薄帯磁心部のＵ字状をなす面を見たときの、直線部の延びる方向の外寸を、それに垂直な方向の外寸の８０％以下にするとよい。直線部の延びる方向の外寸を特に小さくする場合には、軟磁性合金薄帯の矩形の巻回体の短辺の部分で分割するとよい。長辺の部分で分割しようとすると、複数回の切断等が必要になり、工数が増えてしまう。
【００２６】
薄帯磁心部に用いる軟磁性合金薄帯としては、例えば、Ｆｅ−Ｓｉ−Ｂ系、Ｆｅ−Ｓｉ−Ｂ−Ｃ系等の非晶質軟磁性合金薄帯を用いることができる。商用に供されているものとしては、例えば米国Ｍｅｔｇｌａｓ社製の鉄系非晶質軟磁性材２６０５ＳＡ１などである。また、軟磁性合金薄帯として、例えばＦｅ−Ｓｉ−Ｂ−Ｃｕ系、Ｆｅ−Ｓｉ−Ｂ−Ｃｕ−Ｎｂ系等の組成を有し、１０００Å以下の微結晶が晶出したナノ結晶軟磁性合金薄帯を用いることができる。例えば、日立金属製のファインメット（登録商標）を用いることができる。薄帯磁心部の作製には、従来からのカットコアの製造方法を適用すればよい。その例を以下に示す。まず矩形状等の巻芯に、軟磁性合金薄帯を所定の形状まで巻回した後、熱処理を行う。熱処理後の磁心は熱硬化樹脂を用いた樹脂含浸に供され、樹脂硬化後、切断されＵ型等の形状のカットコアを得る。切断後の磁心の切断面は機械的研磨、化学的研磨等を行う。
【００２７】
一方、圧粉磁心部用の磁性粉末としては、例えば純鉄の粉、Ｆｅ−６．５％Ｓｉで代表されるＳｉを６〜７％含むＦｅ−Ｓｉ合金粉、Ｆｅ−Ａｌ合金粉、Ｆｅ−Ｓｉ−Ａｌ合金粉、Ｆｅ−Ｎｉ合金粉、Ｆｅ−Ｃｏ合金粉、非晶質軟磁性合金粉、微結晶質軟磁性合金粉などが挙げられ。これらは各々単独で用いてもよいし、適宜、組合せて用いても良い。特にＳｉを６〜７％含むＦｅ−Ｓｉ合金粉は、磁歪、磁心損失、飽和磁束密度Ｂｓの各特性に優れており、圧粉磁心部に好適な磁性粉末である。圧粉磁心部は通常の製造プロセスによって作製することができる。例えば、絶縁性を付与するとともに、粉末を結着するバインダーとしても機能する樹脂は、例えばエポキシ樹脂、ポリアミド樹脂、ポリイミド樹脂、ポリエステル樹脂などを用いればよい。圧粉磁心部の成型方法としては、磁性粉末と樹脂の混合物をいったん液状化した後に注型して硬化させる注型法、金型中に射出成型することにより成型する射出成型法、金型中に磁性粉末と有機物又は無機物からなる結合材の混合物を充填し加圧して圧粉磁心  を成型するプレス成型法などがある。
【００２８】
通常、圧粉磁心部と薄帯磁心部の対向する端面形状（断面形状）は同じに設定されるので、圧粉磁心部の飽和磁束密度と薄帯磁心部の飽和磁束密度の差が小さいことが好ましい。例えば、圧粉磁心部の飽和磁束密度と薄帯磁心部の飽和磁束密度の平均値に対する圧粉磁心部の飽和磁束密度及び薄帯磁心部の飽和磁束密度の偏差が２０％以内にすることが好ましく、１０％以内がより好ましい。
【００２９】
次に、本発明のリアクトル用いて構成する電源装置としてＤＣ−ＤＣコンバータの例を示す。図６は、駆動周波数１０ｋＨｚのブースト型ＤＣ−ＤＣコンバータの回路構成を示している。図中のインダクタＬ１に上述のリアクトルを用いる。なお、本発明のリアクトルを適用する電源装置は、図６に示すようなＤＣ−ＤＣコンバータに限らず、インバータ等、車両用、太陽光発電用等の各種の大電流電源装置に適用することができる。
【実施例】
【００３０】
図３に示す構成の複合磁心を作製した（Ｎｏ１）。圧粉磁心ブロックにはＦｅ−６．５％Ｓｉ系合金粉を用いた直方体の圧粉磁心を用い、薄帯磁心部は鉄系非晶質軟磁性合金薄帯（米国Ｍｅｔｇｌａｓ社製２６０５ＳＡ１材）の巻回体を熱処理、切断したＵ字型のカットコアを用いた。圧粉磁心の飽和磁束密度は１．３８Ｔ、カットコアの飽和磁束密度は１．２８Ｔであった。各圧粉磁心部にはそれぞれ２か所のギャップを配し、薄帯磁心部の直線部と圧粉磁心部との４ヶ所の界面と合わせて、合計８ヶ所のギャップを設けて複合磁心を構成した。すなわち、圧粉磁心ブロックの数は合計６個である。ギャップは樹脂製のスペーサを挟み込むことで形成し、圧粉磁心ブロック間、圧粉磁心部と薄帯磁心部との間にスペーサを配置した。薄帯磁心部の、直線部に垂直な方向の長さは６０ｍｍ、直線部の長さは１８ｍｍ、高さは３２ｍｍ、各圧粉磁心ブロックの断面は３２ｍｍ×２０．５ｍｍであり、長さは１４．７ｍｍである。圧粉磁心ブロック合計（ギャップは含まず）の磁路長は８８．２ｍｍ、薄帯磁心部の磁路長は１７４．４ｍｍ、各ギャップの大きさは２．２ｍｍで、ギャップの合計は１７．６ｍｍである。なお、薄帯磁心部のうち湾曲部分の磁路長については、径方向の中央における円弧で算出した。
【００３１】
また、比較のために、薄帯磁心部の直線部と圧粉磁心部との間にギャップを設けずに、そのかわりに各圧粉磁心部のギャップを４ヶ所に増やし、合計８ヶ所のギャップを有する複合磁心を作製した（Ｎｏ２）。すなわち、圧粉磁心ブロックの数は合計１０個である。薄帯磁心部の構成はＮｏ１と同じである。各圧粉磁心ブロックの長さは８．８ｍｍ、各ギャップの大きさは２．２ｍｍで、ギャップの合計は１７．６ｍｍである。
【００３２】
さらに、比較のために、薄帯磁心部の直線部と圧粉磁心部との間にギャップを設けずに、そのかわりに薄帯磁心部の直線部にギャップを配し、合計８ヶ所のギャップを有する複合磁心を作製した（Ｎｏ３）。圧粉磁心部の構成はＮｏ１と同じである。直線部のギャップは直線部の端面から８．８ｍｍの位置に設けた。各ギャップの大きさは２．２ｍｍで、ギャップの合計は１７．６ｍｍである。
【００３３】
さらに、Ｎｏ１の複合磁心に対して、圧粉磁心部のギャップの数を増やした複合磁心を作製した。各圧粉磁心部にはそれぞれ４か所のギャップを配し、薄帯磁心部の直線部と圧粉磁心部との４ヶ所の界面と合わせて、合計１２ヶ所のギャップを設けて複合磁心を構成した（Ｎｏ４）。すなわち、圧粉磁心ブロックの数は合計１０個である。初期インダクタンス値がＮｏ１の複合磁心と同じになるようにして、薄帯磁心部の直線部と圧粉磁心部との間、および圧粉磁心部内にギャップを形成した。圧粉磁心部の各ブロックの長さは８．８ｍｍ、各ギャップの大きさは１．３ｍｍ、ギャップの合計は１５．６ｍｍである。同様にして、各圧粉磁心部にそれぞれ６か所のギャップを配し、薄帯磁心部の直線部と圧粉磁心部との４ヶ所の界面と合わせて、合計１６ヶ所のギャップを設けて複合磁心を構成した（Ｎｏ５）。すなわち、圧粉磁心ブロックの数は合計１４個である。初期インダクタンス値がＮｏ１の複合磁心と同じになるようにして、薄帯磁心部の直線部と圧粉磁心部との間、および圧粉磁心部内にギャップを形成した。圧粉磁心部の各ブロックの長さは６．３ｍｍ、各ギャップの大きさは０．９５ｍｍ、ギャップの合計は１５．２ｍｍである。
【００３４】
Ｎｏ１〜５の複合磁心に対して、圧粉磁心部および直線部からなら磁脚に、各磁脚での長さ７５ｍｍ、合計７６ターンのコイルを配置してリアクトルを構成した。コイルは、厚さ１．６ｍｍ、幅６．０ｍｍの平角線を用いて構成した。コイルの端部は脚部の末端（直線部とコーナー部との境目を表す、Ｕ字状コアの内側の角）から７ｍｍの位置にあり、圧粉磁心部と該圧粉磁心部の両端側の直線部との間のギャップの位置はコイルの端部から１１ｍｍである。得られたリアクトルについて、図６に示すコンバータ回路を構成し、回生型リアクトル評価装置を用いて、周波数  １０ｋＨｚ、入力電圧２００Ｖ、出力電圧５００Ｖ、リアクトル電流直流分（Ｉｄｃ）０Ａ、２０Ａの条件で駆動させ、そのときのリアクトル損失を横河電機製プレシジョンパワーアナライザ（ＷＴ３０００）で測定した。評価結果を表１に示す。
【００３５】
【表１】
2013197570.tif 000003
【００３６】
図３に示す構成を有するＮｏ１の複合磁心を用いて作製したリアクトルは、薄帯磁心部の直線部と圧粉磁心間にギャップを設けていないＮｏ２やＮｏ３の複合磁心を用いて作製したリアクトルに比べてリアクトルとしての損失が大幅に改善されていることがわかる。また、Ｎｏ１の複合磁心から圧粉磁心部のギャップ数をさらに増やしたＮｏ４、５の複合磁心を用いたリアクトルは、リアクトル損失がさらに小さいことがわかる。すなわち、各圧粉磁心部を、ギャップを介して配置された３個以上の圧粉磁心ブロックで構成したＮｏ１、４、５の複合磁心を用いたリアクトルは特に損失が小さいことがわかる。なお、ギャップの数を多くし、圧粉磁心ブロックの数を増やすことで損失が改善していくが、製造工程における工数が増える。圧粉磁心ブロックの数が各圧粉磁心部当たり７個を超えると損失改善の効果が鈍るので、圧粉磁心ブロックの数は各圧粉磁心当たり５個以内にすることがより好ましいと言える。
【符号の説明】
【００３７】
１、２：圧粉磁心部
３、４：薄帯磁心部
５、６：コイル
７１、７２：高透磁率磁心部
７３〜７８：圧粉磁心部
７９〜８２：ギャップ
【図１】
2013197570.tif 000004
【図２】
2013197570.tif 000005
【図３】
2013197570.tif 000006
【図４】
2013197570.tif 000007
【図５】
2013197570.tif 000008
【図６】
2013197570.tif 000009
【図７】
2013197570.tif 000010